(57)【要約】【課題】会員の遺伝子情報を分析して得た会員のゲノム情報をデータベース化し、そのゲノム情報を用いてそのゲノム情報の遺伝的同一性および差別性の度合いによってオンライン上でソーシャルネットワークを形成することにより、会員個人の様々な欲求を満足させることのできる、ゲノム情報を用いてオンライン上のソーシャルネットワークを形成するシステムおよびその形成方法を提供する。【解決手段】本発明に係るゲノム情報を用いてオンライン上のソーシャルネットワークを形成するシステムは、会員端末機から、会員のゲノム情報を含む会員の詳細情報の入力を受けてデータベース化し、会員のゲノム情報に基づいてウェブ上でソーシャルネットワークを生成するウェブサーバーを含んでなる。【選択図】図１
2012003750.tif 000002
【特許請求の範囲】
【請求項１】
会員端末機から会員のゲノム情報を含む会員の詳細情報を受けてデータベース化し、会員のゲノム情報に基づいてウェブ上でソーシャルネットワーク（social network）を生成するウェブサーバーを含むことを特徴とする、ゲノム情報を用いてオンライン上のソーシャルネットワークを形成するシステム。
【請求項２】
前記ウェブサーバーは、
会員端末機から会員加入の要請を受ける会員加入部と、
前記会員加入を要請した会員端末機から、ゲノム情報を含む会員の詳細情報の入力を受ける会員情報入力部と、
前記会員の詳細情報が格納される会員情報データベースと、
前記会員端末機から、ソーシャルネットワークを生成しようとする要請を受ける場合、前記会員情報データベースに格納された会員のゲノム情報に基づいて、ウェブ上で所定のグループを介してソーシャルネットワークが形成されるように処理するソーシャルネットワーク生成部とを含むことを特徴とする、請求項１記載のゲノム情報を用いてオンライン上のソーシャルネットワークを形成するシステム。
【請求項３】
前記ソーシャルネットワーク生成部は、
会員端末機から、グループを生成しようとするグループ生成の要請を受けると、会員との遺伝的同一性が大きい会員のグループを生成するか、会員との遺伝的差別性が大きい会員のグループを生成するかを質疑し、その応答に基づいてグループを生成するグループ生成処理部と、
会員端末機から、既に生成されたグループに加入しようとする要請を受けると、会員との遺伝的同一性が大きいグループに加入するか、会員との遺伝的差別性が大きいグループに加入するかを質疑し、その応答に基づいてグループへの加入が行われるように処理するグループ加入処理部とを含むことを特徴とする、請求項２記載のゲノム情報を用いてオンライン上のソーシャルネットワークを形成するシステム。
【請求項４】
前記グループ生成処理部は、
会員端末機から、会員との遺伝的同一性が大きい会員とグループを生成するという応答を受けた場合、前記会員情報データベースに格納された会員のゲノム情報にアクセスし、会員のゲノム情報との遺伝的同一性が大きい会員を抽出し、その抽出された会員の端末機に、グループへの加入を勧める要請メッセージを伝送し、グループを生成しようとする会員と前記要請メッセージに対して許可をした会員とをグループ化して所定のグループが生成されるように処理することを特徴とする、請求項３記載のゲノム情報を用いてオンライン上のソーシャルネットワークを形成するシステム。
【請求項５】
前記グループ生成処理部は、
会員端末機から、会員との遺伝的差別性が大きい会員とグループを生成するという応答を受けた場合、前記会員情報データベースに格納された会員のゲノム情報にアクセスし、会員のゲノム情報との遺伝的差別性が大きい会員を抽出し、その抽出された会員の端末機に、グループへの加入を勧める要請メッセージを伝送し、グループを生成しようとする会員と前記要請メッセージに対して許可をした会員とをグループ化して所定のグループが生成されるように処理することを特徴とする、請求項３記載のゲノム情報を用いてオンライン上のソーシャルネットワークを形成するシステム。
【請求項６】
前記グループ加入処理部は、
会員端末機から、遺伝的同一性の大きい会員からなるグループに加入するという応答を受けた場合、遺伝的同一性の大きい会員からなるグループを検索し、その検索されたグループの管理者端末機に、加入を要請する加入要請メッセージを伝送し、グループ管理者端末機からグループ加入の承認を受けると、会員がそのグループのメンバーとなるように処理することを特徴とする、請求項３記載のゲノム情報を用いてオンライン上のソーシャルネットワークを形成するシステム。
【請求項７】
前記グループ加入処理部は、
会員端末機から、遺伝的差別性の大きい会員からなるグループに加入するという応答を受けた場合、遺伝的差別性の大きい会員からなるグループを検索し、その検索されたグループの管理者端末機に、加入を要請する加入要請メッセージを伝送し、グループ管理者端末機からグループ加入の承認を受けると、会員がそのグループのメンバーとなるように処理することを特徴とする、請求項３記載のゲノム情報を用いてオンライン上のソーシャルネットワークを形成するシステム。
【請求項８】
（Ａ）ウェブサーバーが、会員端末機から、ゲノム情報を含む会員の詳細情報の入力を受ける段階と、
（Ｂ）前記ウェブサーバーが、前記（Ａ）段階で入力を受けた会員の詳細情報を会員情報データベースに格納する段階と、
（Ｃ）ウェブサーバーが、会員端末機から、ウェブ上でソーシャルネットワークを形成しようとする要請を受ける段階と、
（Ｄ）ウェブサーバーが、前記会員情報データベースに格納された会員のゲノム情報に基づいてウェブ上で所定のグループを介してソーシャルネットワークが形成されるように処理する段階とを含むことを特徴とする、ゲノム情報を用いてオンライン上のソーシャルネットワークを形成する形成方法。
【請求項９】
前記（Ｃ）段階は、
（Ｃ１）ウェブサーバーが、会員端末機から、グループを生成しようとするグループ生成の要請を受ける段階と、
（Ｃ２）ウェブサーバーが、会員との遺伝的同一性が大きい会員のグループを生成するか、会員との遺伝的差別性が大きい会員のグループを生成するかを質疑する段階とを含むことを特徴とする、請求項８記載のゲノム情報を用いてオンライン上のソーシャルネットワークを形成する形成方法。
【請求項１０】
前記（Ｄ）段階は、
（Ｄ１）前記（Ｃ２）段階の応答結果、会員端末機から、会員との遺伝的同一性が大きい会員とグループを生成するという応答を受けた場合、前記ウェブサーバーが、会員情報データベースに格納された会員のゲノム情報にアクセスする段階と、
（Ｄ２）前記ウェブサーバーが、会員のゲノム情報との遺伝的同一性が大きい会員を抽出し、その抽出された会員の端末機に、グループへの加入を勧める要請メッセージを伝送する段階と、
（Ｄ３）前記ウェブサーバーが、前記グループを生成しようとする会員と前記（Ｄ２）段階の要請メッセージを承認した会員とをグループ化して特定グループが生成されるように処理する段階とを含むことを特徴とする、請求項９記載のゲノム情報を用いてオンライン上のソーシャルネットワークを形成する形成方法。
【請求項１１】
前記（Ｄ）段階は、
（Ｄ１’）前記（Ｃ２）段階の応答結果、会員端末機から、会員との遺伝的差別性が大きい会員とグループを生成するという応答を受けた場合、前記ウェブサーバーが、会員情報データベースに格納された会員のゲノム情報にアクセスする段階と、
（Ｄ２’）前記ウェブサーバーが、会員のゲノム情報との遺伝的差別性が大きい会員を抽出し、その抽出された会員の端末機に、グループへの加入を勧める要請メッセージを伝送する段階と、
（Ｄ３’）前記ウェブサーバーが、グループを生成しようとする会員と前記（Ｄ２’）段階の要請メッセージを承認した会員とをグループ化して特定のグループが生成されるように処理する段階とを含むことを特徴とする、請求項９記載のゲノム情報を用いてオンライン上のソーシャルネットワークを形成する形成方法。
【請求項１２】
前記（Ｃ）段階は、
（Ｃ３）ウェブサーバーが、会員端末機から、既に生成されたグループに加入しようとする要請を受ける段階と、
（Ｃ４）ウェブサーバーが、会員との遺伝的同一性の大きいグループに加入するか、会員との遺伝的差別性の大きいグループに加入するかを質疑する段階とを含むことを特徴とする、請求項８記載のゲノム情報を用いてオンライン上のソーシャルネットワークを形成する形成方法。
【請求項１３】
前記（Ｄ）段階は、
（Ｄ４）前記（Ｃ４）段階の応答結果、会員端末機から、会員との遺伝的同一性が大きい会員からなるグループに加入するという応答を受けた場合、会員との遺伝的同一性が大きい会員からなるグループを検索する段階と、
（Ｄ５）前記ウェブサーバーが、前記（Ｄ４）段階によって検索されたグループの管理者端末機に、加入を要請する加入要請メッセージを伝送する段階と、
（Ｄ６）ウェブサーバーが、前記管理者端末機からグループ加入の承認を受けた場合、会員がそのグループのメンバーとなるように処理する段階とを含むことを特徴とする、請求項１２記載のゲノム情報を用いてオンライン上のソーシャルネットワークを形成する形成方法。
【請求項１４】
前記（Ｄ）段階は、
（Ｄ４’）前記（Ｃ４）段階の応答結果、会員端末機から、会員との遺伝的差別性が大きい会員からなるグループに加入したという応答を受けた場合、会員との遺伝的差別性が大きい会員からなるグループを検索する段階と、
（Ｄ５’）前記ウェブサーバーが、前記（Ｄ４’）段階によって検索されたグループの管理者端末機に、加入を要請する加入要請メッセージを伝送する段階と、
（Ｄ６’）前記ウェブサーバーが、前記管理者端末機からグループ加入の承認を受けた場合、会員がそのグループのメンバーとなるように処理する段階とを含むことを特徴とする、請求項１２記載のゲノム情報を用いてオンライン上のソーシャルネットワークを形成する形成方法。
【発明の詳細な説明】
【技術分野】
【０００１】
本発明は、ゲノム情報を用いてオンライン上でソーシャルネットワークを形成するシステムに係り、さらに詳しくは、会員の遺伝子情報を分析して得た会員のゲノム情報をデータベース化し、そのゲノム情報を用いてそのゲノム情報の遺伝的同一性または差別性の度合いに応じてオンライン上でソーシャルネットワークを形成することにより、会員個人の好みを満足させることのできる、ゲノム情報を用いてオンライン上のソーシャルネットワークを形成するシステムおよびその形成方法に関する。
【背景技術】
【０００２】
人間を含む全ての生命体は、自分に似た個体を繁殖させる特徴を持っているが、これを「遺伝現象」と呼ぶ。この遺伝現象は、細胞内の核の中にある「ＤＮＡ」という遺伝物質によって行われる。
【０００３】
このように、人間は、遺伝現象によって種族を保存および進化させてきたうえ、各個体の出生、成長過程、疾病、死亡などの全ての生物学的・社会学的活動および発達過程が遺伝子の発現と密接な関係をもって行われており、このような一連の生物学的・社会学的現象は暗号化された遺伝情報として様々な遺伝子の中に記憶されている。
【０００４】
遺伝子（Gene）は、生命現象の最も重要な成分であるタンパク質を作るのに必要な遺伝情報であって、ＤＮＡの塩基配列、すなわちアデニン（Ａ）、チミン（Ｔ）、グアニン（Ｇ）、シトシン（Ｃ）と呼ばれる塩基の配列として表される。ＤＮＡ内の連続した３つの塩基配列をコドン（Codon：Ｃ）と呼ぶ。このコドンは、さらにＲＮＡに転写（transcription）された後、特定のアミノ酸で解読（translation）されて様々なアミノ酸結合のタンパク質を作り、このようなタンパク質は、細胞内の主要構造物を形成することもあり、ホルモンや酵素などの役割を介して人間の運命を決定付ける反応を媒介する。
【０００５】
遺伝子（gene）と染色体（chromosome）とを合成したゲノム（genome）という用語は、一つの生物体が持つ全ての遺伝情報（ＤＮＡ）の集合体を意味するが、このようなゲノム情報は、全ての生命体に対して地球という重力場および与えられた時空間で個体の表現型（phenotype）が決定付けられる情報を含んでいる。一方、類似のゲノム情報を持つ個体は外形的に類似する確率が高い。
【０００６】
また、現在まで知られているところによれば、人間のゲノムは約３０億対のＤＮＡ塩基配列から構成されており、ゲノムプロジェクトによれば、ある特定の機能を示す遺伝子は約３〜４万個程度であると知られている。
【０００７】
同じ形質を示す遺伝子（例えば、人種や血液型など）でもヒトによってその中の塩基配列は異なるが、このような個体の特徴的な遺伝子断片を対立遺伝子（allele）と呼ぶ。このように同じ遺伝子でも個体毎にその遺伝的要素が異なるから、個々人の全ての差異を作る原因となるものをＳＮＰ（single nucleotide polymorphism）と呼ばれる単一塩基変異の概念で説明するが、このようなＳＮＰの概念は個人認識と識別に最も重要なものである。このような単一塩基変異の差異から各個人の遺伝学的・生物学的特性が分かる。
【０００８】
このような遺伝学的要素は全ての人間の疾病にも関わっているが、各個人のＳＮＰの差異によって疾病に対する抵抗性、敏感性および疾病の度合いが異なる。
【０００９】
現在、分子遺伝学的技術の発達により、個人のゲノム情報分析が安い費用で迅速に解読される時代が到来した。このようなゲノム情報は、各個人の性格、疾病、成長などを含む生物学的、遺伝学的問題点などを前もって把握して予防、治療および矯正することができる。
【００１０】
一方、最近、インターネットの発達に伴い、「私」、「私の友達」、および「私の友達の友達」との関係に基づいて社会的人脈連結関係を示すソーシャルネットワークサービス（ＳＮＳ：Social Network Service）に対する関心が大幅増加しつつある。
【００１１】
韓国内では、代表的にサイワールド（www.cyworld.com）が、加入者が構築しておいた一寸の関係に基づいて加入者間の人脈関係を探してくれる単純人脈サービスを提供しており、海外では、マイスペース（www.myspace.com）が全世界にわたって多数の加入者を誘致してソーシャルネットワークサービスを提供している。
【００１２】
このような従来のソーシャルネットワークサービスは、自分が加入したサービスで自分と親しみのある人々のリスト（友達目録）を直接作成し、これに基づいて人脈を形成する。
【００１３】
すなわち、ソーシャルネットワークサービスサーバーが、第１ユーザーコンピュータから第１ユーザー情報と第１ユーザーの知人それぞれに対する情報を受信し、第２ユーザーコンピュータから第２ユーザー情報と第２ユーザーの知人それぞれに対する情報を受信した後、第１ユーザーコンピュータから知人検索条件を受信することにより、第２ユーザーの情報が前記知人検索条件に相応し、第１ユーザーと第２ユーザーとの共通知人が存在する場合、第２ユーザーの簡略情報を前記第１ユーザーコンピュータへ伝送してソーシャルネットワークを形成するのである。
【００１４】
ところが、従来のソーシャルネットワーク形成方法は、会員の所属地域、学歴、趣味、好みなどの一般的な情報のみを用いて単純な形態の人脈管理のみを提供するという問題点がある。
【００１５】
また、従来のソーシャルネットワーク形成方法は、会員とソーシャルネットワークを構成した他の会員との遺伝的関係を把握することができないという問題点がある。
【発明の概要】
【発明が解決しようとする課題】
【００１６】
本発明は、かかる問題点を解決するためになされたもので、会員の遺伝子情報を分析して得た会員のゲノム情報をデータベース化し、そのゲノム情報を用いてそのゲノム情報の遺伝的同一性または差別性の度合いに応じてオンライン上でソーシャルネットワークを形成することにより、会員個人の様々な欲求を満足させることのできる、ゲノム情報を用いてオンライン上のソーシャルネットワークを形成するシステムおよびその形成方法を提供することを目的とする。
【００１７】
また、本発明は、ゲノム情報を用いて、遺伝的同一性を有する会員間にソーシャルネットワークを形成するようにすることにより、必要なとき（例えば、移植手術が必要な場合など）に即時利用できるようにする、ゲノム情報を用いてオンライン上のソーシャルネットワークを形成するシステムおよびその形成方法を提供することを目的とする。
【課題を解決するための手段】
【００１８】
上記目的を達成するために、本発明に係るゲノム情報を用いてオンライン上のソーシャルネットワークを形成するシステムは、会員端末機から、会員のゲノム情報を含む会員の詳細情報を受けてデータベース化し、会員のゲノム情報に基づいてウェブ上でソーシャルネットワーク（social network）を生成するウェブサーバーを含むことを特徴とする。
【００１９】
この際、前記ウェブサーバーは、会員端末機から会員加入の要請を受ける会員加入部と、前記会員加入を要請した会員端末機から、ゲノム情報を含む会員の詳細情報の入力を受ける会員情報入力部と、前記会員の詳細情報が格納される会員情報データベースと、前記会員端末機から、ソーシャルネットワークを生成しようとする要請を受けた場合、前記会員情報データベースに格納された会員のゲノム情報に基づいてウェブ上で所定のグループを介してソーシャルネットワークが形成されるように処理するソーシャルネットワーク生成部とを含む。
【００２０】
前記ソーシャルネットワーク生成部は、会員端末機から、グループを生成しようとするグループ生成の要請を受けると、会員との遺伝的同一性が大きい会員のグループを生成するか、会員との遺伝的差別性が大きい会員のグループを生成するかを質疑し、その応答に基づいてグループを生成するグループ生成処理部と、会員端末機から、既に生成されたグループに加入しようとする要請を受けると、会員との遺伝的同一性が大きいグループに加入するか、会員との遺伝的差別性が大きいグループに加入するかを質疑し、その応答に基づいてグループへの加入が行われるように処理するグループ加入処理部とを含む。
【００２１】
一方、前記グループ生成処理部は、会員端末機から、会員との遺伝的同一性が大きい会員とグループを生成するという応答を受けた場合、前記会員情報データベースに格納された会員のゲノム情報にアクセスし、会員のゲノム情報との遺伝的同一性が大きい会員を抽出し、その抽出された会員の端末機に、グループへの加入を勧める要請メッセージを伝送し、グループを生成しようとする会員と前記要請メッセージに対して許可をした会員とをグループ化して所定のグループが生成されるように処理する。
【００２２】
また、前記グループ生成処理部は、会員端末機から、会員との遺伝的差別性が大きい会員とグループを生成するという応答を受けた場合、前記会員情報データベースに格納された会員のゲノム情報にアクセスし、会員のゲノム情報との遺伝的差別性が大きい会員を抽出し、その抽出された会員の端末機に、グループへの加入を勧める要請メッセージを伝送し、グループを生成しようとする会員と前記要請メッセージに対して許可をした会員とをグループ化して所定のグループが生成されるように処理する。
【００２３】
また、前記グループ加入処理部は、会員端末機から、遺伝的同一性の大きい会員からなるグループに加入するという応答を受けた場合、遺伝的同一性の大きい会員からなるグループを検索し、その検索されたグループの管理者端末機に、加入を要請する加入要請メッセージを伝送し、グループ管理者端末機からグループ加入の承認を受けると、会員がそのグループのメンバーとなるように処理する。
【００２４】
また、前記グループ加入処理部は、会員端末機から、遺伝的差別性の大きい会員からなるグループに加入するという応答を受けた場合、遺伝的差別性の大きい会員からなるグループを検索し、その検索されたグループの管理者端末機に、加入を要請する加入要請メッセージを伝送し、グループ管理者端末機からグループ加入の承認を受けると、会員がそのグループのメンバーとなるように処理する。
【００２５】
上記目的を達成するために、本発明に係るゲノム情報を用いてオンライン上のソーシャルネットワークを形成する形成方法は、（Ａ）ウェブサーバーが、会員端末機から、ゲノム情報を含む会員の詳細情報の入力を受ける段階と、（Ｂ）前記ウェブサーバーが、前記（Ａ）段階で入力を受けた会員の詳細情報を会員情報データベースに格納する段階と、（Ｃ）前記ウェブサーバーが、ソーシャルネットワークを形成しようとする要請を会員端末機から受ける段階と、（Ｄ）前記ウェブサーバーが、前記会員情報データベースに格納された会員のゲノム情報に基づいてウェブ上で所定のグループを生成してソーシャルネットワークが形成されるように処理する段階とを含む。
【００２６】
この際、前記（Ｃ）段階は、（Ｃ１）ウェブサーバーが、会員端末機から、グループを生成しようとするグループ生成の要請を受ける段階と、（Ｃ２）ウェブサーバーが、会員との遺伝的同一性が大きい会員のグループを生成するか、会員との遺伝的差別性が大きい会員のグループを生成するかを質疑する段階とを含む。
【００２７】
また、前記（Ｄ）段階は、（Ｄ１）前記（Ｃ２）段階の応答結果、会員端末機から、会員との遺伝的同一性が大きい会員とグループを生成するという応答を受けた場合、前記ウェブサーバーが、会員情報データベースに格納された会員のゲノム情報にアクセスする段階と、（Ｄ２）前記ウェブサーバーが、会員のゲノム情報との遺伝的同一性が大きい会員を抽出し、その抽出された会員の端末機に、グループへの加入を勧める要請メッセージを伝送する段階と、（Ｄ３）前記グループを生成しようとする会員と前記（Ｄ２）段階の要請メッセージを承認した会員とをグループ化して特定のグループが生成されるように処理する段階とを含む。
【００２８】
また、前記（Ｄ）段階は、（Ｄ１’）前記（Ｃ２）段階の応答結果、会員端末機から、会員との遺伝的差別性が大きい会員とグループを生成するという応答を受けた場合、前記ウェブサーバーが、会員情報データベースに格納された会員のゲノム情報にアクセスする段階と、（Ｄ２’）前記ウェブサーバーが、会員のゲノム情報との遺伝的差別性が大きい会員を抽出し、その抽出された会員の端末機に、グループへの加入を勧める要請メッセージを伝送する段階と、（Ｄ３’）前記グループを生成しようとする会員と前記（Ｄ２’）段階の要請メッセージを承認した会員とをグループ化して特定のグループが生成されるように処理する段階とを含む。
【００２９】
一方、前記（Ｃ）段階は、（Ｃ３）ウェブサーバーが、会員端末機から、既に生成されたグループに加入しようとする要請を受ける段階と、（Ｃ４）ウェブサーバーが、会員との遺伝的同一性が大きいグループに加入するか、会員との遺伝的差別性が大きいグループに加入するかを質疑する段階とを含む。
【００３０】
この際、前記（Ｄ）段階は、（Ｄ４）前記（Ｃ４）段階の応答結果、会員端末機から、会員との遺伝的同一性が大きい会員からなるグループに加入するという応答を受けた場合、会員との遺伝的同一性が大きい会員からなるグループを検索する段階と、（Ｄ５）前記ウェブサーバーが、前記（Ｄ４）段階によって検索されたグループの管理者端末機に、加入を要請する加入要請メッセージを伝送する段階と、（Ｄ６）ウェブサーバーが前記管理者端末機からグループ加入の承認を受けた場合、会員がそのグループのメンバーとなるように処理する段階とを含む。
【００３１】
前記（Ｄ）段階は、（Ｄ４’）前記（Ｃ４）段階の応答結果、会員端末機から、会員との遺伝的差別性が大きい会員からなるグループに加入するという応答を受けた場合、会員との遺伝的差別性が大きい会員からなるグループを検索する段階と、（Ｄ５’）前記ウェブサーバーが、前記（Ｄ４’）段階によって検索されたグループの管理者端末機に、加入を要請する加入要請メッセージを伝送する段階と、（Ｄ６’）ウェブサーバーが前記管理者端末機からグループ加入の承認を受けた場合、会員がそのグループのメンバーとなるように処理する段階とを含む。
【発明の効果】
【００３２】
本発明によれば、会員の遺伝子情報を分析して得た会員のゲノム情報をデータベース化し、そのゲノム情報を用いてそのゲノム情報の遺伝的同一性または差別性の度合いに応じてオンライン上でソーシャルネットワークを形成することにより、会員個人の様々な欲求を満足させることができるという利点がある。
【００３３】
また、本発明によれば、ゲノム情報を用いて、遺伝的同一性を持つ会員間にソーシャルネットワークを形成するようにすることにより、必要なとき（例えば、移植手術が必要な場合など）に即時利用できるようにするという利点がある。
【図面の簡単な説明】
【００３４】
【図１】本発明の好適な実施例に係るゲノム情報を用いてオンライン上のソーシャルネットワークを形成するシステムの全体構成を示すシステム図である。
【図２】図１のウェブサーバーの内部構成を示すブロック図である。
【図３】本発明の好適な実施例に係るゲノム情報を用いてオンライン上のソーシャルネットワークを形成するシステムの動作過程を示すフローチャートである。
【図４】本発明の他の実施例に係るゲノム情報を用いてオンライン上のソーシャルネットワークを形成するシステムの動作過程を示すフローチャートである。
【発明を実施するための形態】
【００３５】
以下に添付図面を参照しながら、上述した本発明に係るゲノム情報を用いてオンライン上のソーシャルネットワークを形成するシステムの好適な実施例について詳細に説明する。
【００３６】
図１は本発明の好適な実施例に係るゲノム情報を用いてオンライン上のソーシャルネットワークを形成するシステムの全体構成を示すシステム図である。
【００３７】
図１を参照すると、本発明は、ウェブサーバー１００、少なくとも一つのユーザー端末機２００（以下「会員端末機」という）、および遺伝子分析機関サーバー３００を含む。
【００３８】
ウェブサーバー１００は、会員端末機２００から、会員のゲノム情報を含む会員の詳細情報（例えば、会員の名前、住民番号、ゲノム情報、趣味、所属地域、学歴情報、情報公開有無など）の入力を受けてデータベース化し、会員のゲノム情報に基づいてウェブ上で所定のグループを生成してソーシャルネットワーク（social network）を形成させる。次に、ウェブサーバー１００の詳細構成については図面を参照してさらに詳しく説明する。
【００３９】
会員端末機２００は、ウェブサーバー１００が運営するホームページに接続することが可能な端末機であって、ＰＣ、ＰＤＡ（Personal Digital Assistant）、セルラーホン、ハンドヘルドＰＣ（Hand-Held PC）などが使用できる。
【００４０】
遺伝子分析機関サーバー３００は、ウェブサーバー１００の要請がある場合、会員のゲノム情報をウェブサーバー１００に提供する。この際、遺伝子分析機関サーバー３００は、認証手続きを経た後、認証を獲得した場合にのみ会員のゲノム情報を提供することが好ましい。
【００４１】
図２は図１のウェブサーバーの内部構成を示すブロック図である。
【００４２】
図２を参照すると、ウェブサーバー１００は、会員加入部１１０、会員情報入力部１２０、中央制御部１３０、会員情報データベース１４０、およびソーシャルネットワーク生成部１５０を含む。
【００４３】
会員加入部１１０は会員端末機２００から会員加入の要請を受ける。
【００４４】
会員情報入力部１２０は、会員加入を要請した会員端末機２００から、ゲノム情報を含む会員の詳細情報（例えば、会員の名前、住民番号、ゲノム情報、趣味、所属地域、学歴情報、情報公開有無など）の入力を受ける。
【００４５】
中央制御部１３０は、会員情報入力部１２０から入力を受けた会員の詳細情報が会員情報データベース１４０に格納されるように処理する。また、中央制御部１３０は、会員端末機２００から受信した会員の詳細情報公開有無（例えば、会員の詳細情報を会員および管理者に公開する場合や、会員の詳細情報を会員に公開せず管理者にのみ公開する場合など）に応じてサービスの内容を制限する。さらに具体的に、中央制御部１３０は、自分の情報を会員に対して公開にした会員端末機２００には他の会員の情報が公開されるように処理し、自分の情報を会員に対して非公開にした会員端末機２００には他の会員の情報が公開されないように処理する。
【００４６】
会員情報データベース１４０には前記会員の詳細情報が格納される。この際、会員情報データベース１４０はゲノム情報別にテーブル化して格納されることが好ましい。会員情報データベース１４０には格納されるデータの容量に応じて、ＥＥＰＲＯＭ、フラッシュメモリ、外部メモリなどの多様な記憶媒体が提供できる。
【００４７】
一方、ソーシャルネットワーク生成部１５０は、ソーシャルネットワークを生成しようとする要請を会員端末機２００から受ける場合、前記会員情報データベース１４０に格納された会員のゲノム情報に基づいてウェブ上で所定のグループを生成してオンラインソーシャルネットワークが形成されるように処理する。ここで、オンラインソーシャルネットワークとは、オンライン上で行われたソーシャルネットワークをいうもので、会員間の具体的な相互作用（interaction）を通じて会員相互間にノードが形成された場合を意味する。このようなソーシャルネットワーク生成部１５０はグループ生成処理部１６０およびグループ加入処理部１７０を含む。
【００４８】
グループ生成処理部１６０は、会員端末機から、グループを生成しようとするグループ生成の要請を受けると、会員との遺伝的同一性が大きい会員のグループを生成するか、会員との遺伝的差別性が大きい会員のグループを生成するかを質疑し、その応答に基づいてグループを生成する。ここで、遺伝的同一性が大きいというのは遺伝的同一性が予め設定された第１基準値以上となることを意味し、遺伝的差別性が大きいというのは遺伝的差別性が予め設定された第２基準値以上となることを意味する。このようなグループ生成処理部１６０は個人情報検索部１６１、個人招待部１６３およびグループ生成部１６５を含む。
【００４９】
個人情報検索部１６１は、会員端末機２００から、会員との遺伝的同一性が大きい会員とグループを生成するという応答を受けた場合、前記会員情報データベース１４０に格納された会員のゲノム情報にアクセスし、会員のゲノム情報との遺伝的同一性が大きい会員を抽出する。この際、遺伝的同一性が大きい会員を検索する場合、個人情報検索部１６１は予め設定された次式を用いて同一性の大きい会員を検索する。
【数１】
2012003750.tif 000003
【００５０】
一方、個人情報検索部１６１は、会員端末機２００から、会員との遺伝的差別性が大きい会員とグループを生成するという応答を受けた場合、前記会員情報データベース１４０に格納された会員のゲノム情報にアクセスし、会員のゲノム情報との遺伝的差別性が大きい会員を抽出する。この際、遺伝的差別性が大きい会員を検索する場合、個人情報検索部１６１は予め設定された次式を用いて差別性の大きい会員を検索する。
【数２】
2012003750.tif 000004
【００５１】
以下、遺伝的同一性の大きい会員を判断する方法および遺伝的差別性の大きい会員を判断する方法について、表１を参照して説明する。表１は本発明の好適な実施例に係る遺伝的同一性および遺伝的差別性が大きい会員を判断する過程を説明する説明図である。遺伝的同一性および遺伝的差別性の大きい会員を判断する過程は、表１に示した実施例にのみ限定されるのではなく、本発明の属する技術分野における通常の知識を有する者であれば、様々に変更実施することができる。一方、遺伝的同一性の大きい会員を判断する方法および遺伝的差別性の大きい会員を判断する方法は、当該分野における公知の技術なので、詳細な説明を省略する。
【００５２】
【表１】
2012003750.tif 000005
【００５３】
個人招待部１６３は、前記個人情報検索部によって抽出された会員の端末機に、グループへの加入を勧める要請メッセージを伝送する。この際、個人招待部１６３は、要請メッセージと共に、そのグループを作ろうとする会員のゲノム情報を提供することが好ましい。
【００５４】
グループ生成部１６５は、前記グループを生成しようとする会員と、前記要請メッセージに対して許可をした会員とをグループ化して所定のグループが生成されるように処理する。
【００５５】
グループ加入処理部１７０は、会員端末機２００から、既に生成されたグループに加入しようとする要請を受けると、会員との遺伝的同一性が大きいグループに加入するか、会員との遺伝的差別性が大きいグループに加入するかを質疑し、その応答に基づいて、グループへの加入が行われるように処理する。このようなグループ加入処理部１７０はグループ情報検索部１７１、グループ加入要請部１７３およびグループ承認部１７５を含む。
【００５６】
グループ情報検索部１７１は、会員端末機２００から、遺伝的同一性の大きい会員からなるグループに加入するという応答を受けた場合、遺伝的同一性の大きい会員からなるグループを検索する。
【００５７】
一方、グループ情報検索部１７１は、会員端末機２００から、遺伝的差別性が大きい会員からなるグループに加入するという応答を受けた場合、遺伝的差別性の大きい会員からなるグループを検索する。
【００５８】
グループ加入要請部１７３は、グループ情報検索部１７１によって検索されたグループの管理者端末機に、加入を要請する加入要請メッセージを伝送する。この際、グループ加入要請部１７３は、加入要請メッセージと共に、加入を要請する会員のゲノム情報を提供することが好ましい。
【００５９】
グループ承認部１７５は、グループ管理者端末機からグループ加入の承認を受けると、会員がそのグループのメンバーとなるように処理する。
【００６０】
以下、図面を参照して、本発明に係るゲノム情報を用いてオンライン上のソーシャルネットワークを形成するシステムの動作過程について詳細に説明する。
【００６１】
図３は本発明の好適な実施例に係るゲノム情報を用いてオンライン上のソーシャルネットワークを形成するシステムの動作過程を示すフローチャートである。
【００６２】
まず、ウェブサーバー１００が会員端末機から会員加入の要請を受けると（段階Ｓ１００）、会員端末機から、ゲノム情報を含む会員の詳細情報の入力を受ける（段階Ｓ１１０）。
【００６３】
すると、ウェブサーバー１００が、段階Ｓ１１０で入力された会員の詳細情報を会員情報データベース１４０に格納する（段階Ｓ１２０）。
【００６４】
一方、ウェブサーバー１００は、会員端末機２００から、ソーシャルネットワークを形成するためにグループを生成しようとする要請を受けることができる（段階Ｓ１３０）。
【００６５】
すると、ウェブサーバー１００が、会員端末機２００に、会員との遺伝的同一性の大きい会員のグループを生成するか（段階Ｓ１３１）、会員との遺伝的差別の性が大きい会員のグループを生成するかを質疑する（段階Ｓ１３３）。
【００６６】
質疑応答の結果として、会員端末機２００から、会員との遺伝的同一性が大きい会員とグループを生成するという応答を受けた場合、ウェブサーバー１００が会員情報データベース１４０に格納された会員のゲノム情報にアクセスする。そして、ウェブサーバー１００が会員のゲノム情報との遺伝的同一性の大きい会員を抽出する（段階Ｓ１４１）。
【００６７】
一方、質疑応答の結果として、会員端末機２００から、会員との遺伝的差別性が大きい会員とグループを生成するという応答を受けた場合、前記ウェブサーバー１００が会員情報データベース１４０に格納された会員のゲノム情報にアクセスする。そして、ウェブサーバー１００が、会員のゲノム情報との遺伝的差別性が大きい会員を抽出する（段階Ｓ１４３）。
【００６８】
その後、ウェブサーバー１００は、その抽出された会員の情報を会員端末機２００に提供する（段階Ｓ１５０）。この際、ウェブサーバー１００は、会員端末機２００が自分の会員詳細情報を公開する場合にのみ他の会員の情報を見ることができるように処理することが好ましい。
【００６９】
その後、会員端末機２００の要請がある場合、その抽出された会員の端末機に、グループへの加入を勧める要請メッセージを伝送する（段階Ｓ１６０）。この際、ウェブサーバー１００は、要請メッセージと共に、そのグループを作ろうとする会員のゲノム情報を提供することが好ましい。
【００７０】
その後、ウェブサーバー１００は、グループを生成しようとする会員と、要請メッセージを承認した会員とをグループ化して特性のグループが生成されるように処理し、ソーシャルネットワークが形成されるように処理する。
【００７１】
上述したところによれば、本発明は、ウェブ上でゲノム情報の遺伝的同一性または差別性の度合いに応じてソーシャルネットワークを形成することができるという利点がある。
【００７２】
図４は本発明の他の実施例に係るゲノム情報を用いてオンライン上のソーシャルネットワークを形成するシステムの動作過程を示すフローチャートである。
【００７３】
まず、ウェブサーバー１００が会員端末機２００から会員加入の要請を受けると（段階Ｓ２１０）、会員端末機２００から、ゲノム情報を含む会員の詳細情報の入力を受ける（段階Ｓ２２０）。
【００７４】
すると、ウェブサーバー１００が、段階Ｓ２２０で入力された会員の詳細情報を会員情報データベース１４０に格納する（段階Ｓ２３０）。
【００７５】
一方、ウェブサーバー１００は、会員端末機２００から、ソーシャルネットワークを形成するために予め作られたグループの検索要請を受けることができる（段階Ｓ２４０）。
【００７６】
すると、ウェブサーバー１００が、会員端末機２００に、会員との遺伝的同一性が大きいグループに加入するか（段階Ｓ２４１）、遺伝的差別性が大きいグループに加入するかを質疑する（段階Ｓ２４３）。
【００７７】
質疑応答の結果として、会員端末機２００から、会員との遺伝的同一性が大きい会員からなるグループに加入するという応答を受けた場合、ウェブサーバー１００は、会員との遺伝的同一性が大きい会員からなるグループを検索する（段階Ｓ２５１）。
【００７８】
一方、質疑応答の結果として、会員端末機２００から、会員との遺伝的差別性が大きい会員からなるグループに加入するという応答を受けた場合、ウェブサーバー１００は、会員との遺伝的差別性が大きい会員からなるグループを検索する（段階Ｓ２５３）。
【００７９】
すると、ウェブサーバー１００は、検索されたグループ情報を会員端末機２００に提供する（段階Ｓ２６０）。この際、ウェブサーバー１００は、会員端末機２００が自分の会員詳細情報を公開した場合にのみそのグループの詳細情報を見ることができるように処理することが好ましい。
【００８０】
その後、ウェブサーバー１００が、会員端末機２００から、その検索されたグループのメンバーとなろうとする要請を受けると、検索されたグループの管理者端末機へ、加入を要請する加入要請メッセージを伝送する（段階Ｓ２７０）。この際、ウェブサーバー１００は、加入要請メッセージと共に、加入を要請する会員の詳細情報を提供することが好ましい。
【００８１】
その次、ウェブサーバー１００は、ウェブサーバー１００が前記管理者端末機からグループ加入の承認を受けた場合、会員がそのグループのメンバーとなるように処理してソーシャルネットワークが形成されるように処理する。
【００８２】
以上、本発明の好適な実施例について図示および説明したが、本発明は、上述した実施例に限定されず、当該発明の属する技術分野における通常の知識を有する者であれば、本発明の技術的思想から逸脱することなく、様々な変形を加え得るのはもとよりである。よって、本発明の権利範囲は特定の実施例に限定されるものではなく、添付した特許請求の範囲によって定められるものと解釈されるべきである。
【図１】
2012003750.tif 000006
【図２】
2012003750.tif 000007
【図３】
2012003750.tif 000008
【図４】
2012003750.tif 000009